(57)【要約】【課題】残存圧に起因した内容物の必要以上の排出を回避する。【解決手段】内容物を収納する容器本体と、この容器本体の口部に装着されその外表面に容器本体の内側に通じる複数の開孔を有する塗布ヘッドと、容器本体内に収納された内容物を押し上げて塗布ヘッドの開孔を通して排出させる容器において、内容物を保持し容器本体の内壁に沿って摺動可能な中皿と、この中皿の背面にて連結するスクリューロッドと、このスクリューロッドを移動可能に支えるベースと、容器本体の底壁及びベースの相互間にて弾性支持されその回転にて中皿をスクリューロッドとともに塗布ヘッドに向けてスライドさせる回転体とを配置し、前記回転体に、その回転中、スクリューロッドを中皿とともに極僅かに上下動させて内容物のバックサクションを誘導する振動手段を設ける。【選択図】　　　　図３
2004090976.tif 000002
【特許請求の範囲】
【請求項１】
内容物を収納する容器本体と、この容器本体の口部に装着されその外表面に容器本体の内側に通じる複数の開孔を有する塗布ヘッドと、容器本体内に収納された内容物を押し上げて塗布ヘッドの開孔を通して排出させる容器であって、
内容物を保持し容器本体の内壁に沿って摺動可能な中皿と、この中皿の背面にて連結するスクリューロッドと、このスクリューロッドを移動可能に支えるベースと、容器本体の底壁及びベースの相互間にて弾性支持されその回転にて中皿をスクリューロッドとともに塗布ヘッドに向けてスライドさせる回転体とを備え、
前記回転体に、その回転中、スクリューロッドを中皿とともに極僅かに上下動させて内容物のバックサクションを誘導する振動手段を設けたことを特徴とする繰り出し容器。
【請求項２】
振動手段が、ベースに設けられた凸部と、このベースに接触する回転体の底面に設けられ該凸部に適合する凹部からなる、請求項１記載の繰り出し容器。
【請求項３】
振動手段が、回転体に設けられた凸部と、この回転体に接触する容器本体の底壁に設けられ該凸部に適合する凹部からなる、請求項１記載の繰り出し容器。
【発明の詳細な説明】
【０００１】
【発明の属する技術分野】
本発明は、容器本体内に収納した内容物を押し上げて塗布ヘッドの表面上に排出し該内容物の塗布を可能とする繰り出し容器に関するものであって、内容物を押し出したときに生じる残存圧に起因した必要以上の排出を確実に防止しようとするものである。
【０００２】
【従来の技術】
粘度が比較的高い固形あるいはクリーム状の内容物を塗布ヘッドに適量排出して直接塗布することができる繰り出し容器は、容器本体内に収納、保持した内容物を塗布ヘッドの開孔部分から押し出すことができるように、その底部に繰り出し機構が組み込まれている。
【０００３】
この繰り出し機構は、内容物を保持する中皿とこの中皿に一体的に連結するスクリューロッドとこのスクリューロッドに係合してその回動にて中皿をスクリューロッドとともに塗布ヘッドに向けてスライドさせる回転部材にて構成されていて、回転部材の回転度合いによって排出量の調整が行なえるようになっている。
【０００４】
ところで、従来の繰り出し容器は、中皿をスライドさせて内容物を排出した場合、その際の押圧力が容器内の内容物にそのまま残存するため回転部材の回転を停止させた状態にあるにもかかわらず、内容物が塗布ヘッドの開孔から排出される不具合があり内容物の効率的な排出ができないところに問題を残していた。
【０００５】
本発明の課題は、繰り出し容器において従来問題となっていた残存圧に起因した内容物の必要以上の排出を防止できる新規な構造について提案するところにある。
【０００６】
【課題を解決するための手段】
本発明は、内容物を収納する容器本体と、この容器本体の口部に装着されその外表面に容器本体の内側に通じる複数の開孔を有する塗布ヘッドと、容器本体内に収納された内容物を押し上げて塗布ヘッドの開孔を通して排出させる容器であって、
内容物を保持し容器本体の内壁に沿って摺動可能な中皿と、この中皿の背面にて連結するスクリューロッドと、このスクリューロッドを移動可能に支えるベースと、容器本体の底壁及びベースの相互間にて弾性支持されその回転にて中皿をスクリューロッドとともに塗布ヘッドに向けてスライドさせる回転体とを備え、
前記回転体に、その回転中、スクリューロッドを中皿とともに極僅かに上下動させて内容物のバックサクションを誘導する振動手段を設けたことを特徴とする繰り出し容器である。
【０００７】
上記の構成になる繰り出し容器において振動手段は、ベースに設けられた凸部と、このベースに接触する回転体の底面に設けられ該凸部に適合する凹部からなるもの、あるいは、回転体に設けられた凸部と、この回転体に接触する容器本体の底壁に設けられ該凸部に適合する凹部からなるものにて構成することができる。
【０００８】
【発明の実施の形態】
以下、図面を用いて本発明をより具体的に説明する。
図１（ａ）（ｂ）は本発明に従う繰り出し容器の構成を模式的に示した図である。
【０００９】
図１において１は内容物Ｐを収納する容器本体である。この容器本体１は内容器１ａと外容器１ｂとを組み合わせて構成することができる。
【００１０】
また、２は容器本体１の口部に装着される塗布ヘッドであって、その外表面には容器本体１の内側に通じる複数の開孔２ａが設けられている。
【００１１】
３は塗布ヘッド２を覆うように容器本体１に取り付けられるオーバーキャップ、４は容器本体内に収納された内容物を押し上げ塗布ヘッド２の開孔２ａを通して外表面に排出する繰り出し手段である。
【００１２】
繰り出し手段４は内容物を保持し内容器１ａの内壁に沿って摺動可能な中皿４ａと、この中皿４ａの背面（下端）にて連結するスクリューロッド４ｂと、このスクリューロッド４ｂを移動可能に支えるベース４ｃと、内容器１ａの底壁及びベース４ｃの相互間にて弾性支持されその回転にて中皿４ａをスクリューロッド４ｂとともに塗布ヘッド２に向けてスライドさせる回転体４ｄからなっている。
【００１３】
また、５は回転体４ｄを内容器１ａとベース４ｃの間で弾性支持するための切り起こし舌片状の板ばね、６は回転体４ｄの回転中にスクリューロッド４ｂを中皿４ａとともに極僅かに上下動させて内容物Ｐのバックサクションを誘導する振動手段である。この振動手段６はベース４ｃの環状体に間隔をおいて設けられた鋸刃状の凸部６ａとこのベース４ｃに接触する回転体４ｄの底面に設けられ該凸部６ａに適合する形状を有する図４に示すような凹部６ｂからなっていて、これにより回転体４ｄの一方向のみの回転を許容するラチェットを構成しスクリューロッド４ｂを中皿４ａとともに極僅かに上下動させながら定量排出を行う。
【００１４】
内容物Ｐを排出すべく、オーバーキャップ３を取り外して回転体４ｄを回転させるとこの回転体４ｄにねじ係合するスクリューロッド４ｂがベース４ｃのガイドｇに沿って中皿４ａとともに塗布ヘッド２に向かって直線的に移動していき、これにより中皿４ａに保持された内容物Ｐが押し上げられ塗布ヘッド２の開孔２ａから排出される。
【００１５】
このとき、回転体４ｄに設けられた凹部６ｂはベース４ｃの環状体に設けられた凸部６ａを次々と乗り越えながら移動するため、該回転体４ｄ、スクリューロッド４ｂ、中皿４ａ、内容物Ｐはスクリューロッド４ｂの軸心Ｌに沿う向きに上下動（振動）する。
【００１６】
内容物Ｐの排出をやめるべく回転体４ｄを停止させると回転体４ｄが容器本体１の底部に向けて下降する分だけ中皿４ａが容器本体１内に引き込まれる、いわゆるバックサクションが誘導され、それがため内容物Ｐの排出に負荷される押圧力はすぐさま解除されることとなり残存圧によって内容物が必要以上に排出されることはない。
【００１７】
回転体４ｄは一方向のみの回転を許容したラチェット式として図示したが、凸部６ａおよび凹部６ｂにつき、なだらかな傾斜を設けて逆向きに回転させる構造としてもよくこの構造によれば必要に応じて内容物Ｐを容器内に引き込むことが可能となる。
【００１８】
図２（ａ）〜（ｄ）は本発明に従う繰り出し容器の他の構成を示したものである。
【００１９】
この例は、その要部を図３（ａ）（ｂ）に示すごとく、振動手段６のうちの凸部６ａを回転体６ｄの先端部に下向きに設け、この凸部６ａに適合する凹部６ｂを内容器１ａの底壁に上向きに設けた構造のものであり、これによっても上掲図１に示した構造のものと同様のバックサクションを誘導することができる。
【００２０】
回転体４ｄを容器本体１とベース４ｃの間で弾性支持する板ばね５は図１では、内容器１ａの底壁を舌片状に切り起こした板ばねとして示したが、この板ばね５は、図３（ｂ）に示すように、回転体４ｄの先端壁を舌片状に切り起こしたものを適用してもよい。
【００２１】
また、凸部６ａ、凹部６ｂは、図４あるいは図５に示すような箇所に設けるようにしてもよく、凸部６ａ、凹部６ｂはベース４ｃ、回転体４ｄの形状に応じてその設置箇所は適宜に変更することができる。
【００２２】
【発明の効果】
本発明によれば、内容物を排出する際に容器内に残存圧が生じないので、必要以上に内容物が排出されることはなく、該内容物を効率よく使用することができる。
【図面の簡単な説明】
【図１】本発明に従う繰り出し容器の実施の形態を示した図である。
【図２】（ａ）〜（ｄ）は本発明に従う繰り出し容器の他の実施の形態を示した図である。
【図３】（ａ）（ｂ）は図１に示した容器の要部の外観斜視図である。
【図４】本発明に従う繰り出し容器の他の実施の形態をその要部について示した図である。
【図５】本発明に従う繰り出し容器の他の実施の形態をその要部について示した図である。
【符号の説明】
１　容器本体
１ａ　内容器
１ｂ　外容器
２　塗布ヘッド
２ａ　開孔
３　オーバーキャップ
４　繰り出し手段
４ａ　中皿
４ｂ　スクリューロッド
４ｃ　ベース
４ｄ　回転体
５　板ばね
６　振動手段
６ａ　凸部
６ｂ　凹部
ｇ　ガイド
【図１】
2004090976.tif 000003
【図２】
2004090976.tif 000004
【図３】
2004090976.tif 000005
【図４】
2004090976.tif 000006
【図５】
2004090976.tif 000007